(57)【要約】  本発明は、電池電量表示装置であって、鉛酸電池の残りの電量を直接的に表示するものに関する。前記装置は、一体成型の複数の表示ロッドと、各表示ロッドの上端に設けられる固定スリーブと、各表示ロッドの下端に設けられる支持フレームと、表示ロッドの数量に応じて設けられる色球とを備え、前記支持フレームは表示ロッドの数量に応じて形成する色球チャネルが設けられ、前記各色球チャネルはその上部の垂直の投影とその下部の垂直の投影が水平方向に沿って互いにずらすように傾斜して設けられ、前記各色球は、比重が順次増加すると、それに伴い所定の順序で各色球チャネル内に設けられることを特徴とする。比重が異なる色球が所定順序に従い複数の表示ロッドの下方で集中的に表示することによって、蓄電池の現在の電量を視覚的かつ正確に表示できる。該装置は主として鉛酸電池の電量表示に用いられる。【選択図】図２
2010537374.tif 000002
【特許請求の範囲】
【請求項１】
一体成型の若干の表示ロッドと、各表示ロッドの上端に設けられる固定スリーブと、各表示ロッドの下端に設けられる支持フレームと、表示ロッドの数量に応じて設けられる色球とを備え、
前記支持フレームに表示ロッドの数量に応じて形成する色球チャネルが設けられ、前記各色球チャネルはその上部の垂直の投影とその下部の垂直の投影が水平方向に沿って互いにずらすように傾斜して設けられ、前記各色球は、比重が順次増加し、それに伴って所定の順序で各色球チャネル内に設けられることを特徴とする電池電量表示装置。
【請求項２】
前記支持フレームは、一体連続のトレー、スライドフレーム、位置決めスリーブをこの順に下から上に備え、前記位置決めスリーブは各表示ロッドの下端に固定されると共に、その上には表示ロッドの数量に応じて形成する開口が設けられており、各開口の中心線はそれぞれ各表示ロッドの中心線と大体一致し、前記スライドフレームの上端面と下端面との間に表示ロッドの数量に応じて形成する傾斜の貫通孔が設けられ、前記トレーに表示ロッドの数量に応じて形成する色球位置決め溝が設けられ、前記各色球位置決め溝、貫通孔及び開口はそれぞれ対応して設置されて前記色球チャネルを形成していることを特徴とする請求項１に記載の電池電量表示装置。
【請求項３】
前記各表示ロッドが円周方向に沿って均一に設置されることを特徴とする請求項2に記載の電池電量表示装置。
【請求項４】
前記表示ロッドの数量が5-12個であることを特徴とする請求項3に記載の電池電量表示装置。
【請求項５】
前記各表示ロッドは矩形に均一に設置されることを特徴とする請求項2に記載の電池電量表示装置。
【発明の詳細な説明】
【技術分野】
【０００１】
本発明は、鉛酸蓄電池アセンブリーに関し、特に、蓄電池の残り電量を表示するための電池電量表示装置に関するものである。
【背景技術】
【０００２】
鉛酸蓄電池は自動車にとって不可欠な低圧直流電源であり、正負極板、隔膜材料、硫酸及びケーシングからなる。硫酸溶液をケーシング内の極板との間に加えると、蓄電池内部に起電力が生じる。その化学エネルギーと電子エネルギーの相互変換による一般的な平衡反応が：PbO2+2H++2HSO4-+Pb=2PhSO4＋2H2Oで表される。これによって、蓄電池に硫酸を加えた後に生じる起電力の大きさは溶液中のH2SO4の溶解度により決定されることが分かる。蓄電池が放電する時に、電子が両極との間で運動して電流が生じる。このとき、蓄電池極板中のPbO2とPbは徐々にPhSO4とH2Oへと変化し、蓄電池の放電につれて、その残り電量が徐々に減少し、溶液中のH2SO4が徐々に減少し、そして溶液の密度が徐々に低下することになる。逆に、充電の時には、溶液中のPhSO4が持続的に結晶することによりPbO2、Pb及びH2SO4が析出し、溶液中のH2SO4溶解度が持続的に増加し、かつ溶液密度が持続的に高くなり充電飽和状態に至る。
この特性に関し、2002年7月24日に公告された中国特許第CN2502414Y号（特許文献１）において、新規の観測可能なプラスチック部材が公開された。該プラスチック部材は表示ロッド、ロッドスリーブ及び色球などからなる。表示ロッドの他端が固定スリーブでしっかりと覆われ、固定スリーブにオスねじが設けられ、オスねじの端面に１つがいの嵌合口が設けられ、当該オスねじによって表示ロッドと固定スリーブが電池蓋部にしっかり留められる。このことにより、PMMAプラスチックから製造する表示ロッドが直接電池蓋部に接触することを防止でき、使用寿命が延長し、製造コストが低下することになる。
2004年9月8日に公告された中国特許第CN2640051Y号（特許文献２）において、改良された観測可能なプラスチック部材が公開された。当該プラスチック部材は、中間ロッドスリーブとロッドキャップは、元の透明ロッドスリーブ、中間ロッドスリーブと透明表示ロッドとのしっかりとした結びつきによる置き換えを利用し、ロッドキャップは中間ロッドスリーブに着脱取り外し可能に覆われ、色が異なる二つの観測用色球は上記透明表示ロッドの内側凹部とロッドキャップの間に順次設置され、これにより、色球の浮き沈み状態に応じて電解液の液面高さと濃度がわかり、加水するかまたは充電するかどうかを決定できる。上述の両者の技術的解決方法は、単に蓄電池の電量を大まかに判別するのみであり、蓄電池の総容量に対する現在の電量の割合については、正確に判断することができない。従って、蓄電池の残り電量が残りの役割を果たすために実行可能かどうかが分からない。当然、鉛酸蓄電池が使用される他の場合においても、充電するかどうかを決定するために、蓄電池の現在の電量を視覚的に認識できる表示装置が必要となる。
【先行技術文献】
【特許文献】
【０００３】
【特許文献１】中国特許第CN2502414Y号
【特許文献２】中国特許第CN2640051Y号
【発明の概要】
【発明が解決しようとする課題】
【０００４】
本発明は、上記問題点に鑑みてなされたものであって、鉛酸蓄電池の残り電量を直接的に表示する電池電量表示装置を提供することを目的とする。
【課題を解決するための手段】
【０００５】
本発明の電池電量表示装置は、一体成型の複数の表示ロッドと、各表示ロッドの上端に設けられる固定スリーブと、各表示ロッドの下端に設けられる支持フレームと、表示ロッドの数量に応じて設けられる色球とを備え、前記支持フレームは表示ロッドの数量に応じて形成する色球チャネルが設けられ、前記各色球チャネルはその上部の垂直の投影とその下部の垂直の投影が水平方向に沿って互いにずらすように傾斜して設けられ、前記各色球は比重が順次増加し、それに伴って所定の順序により各色球チャネル内に設けられることを特徴とする。
【０００６】
上記電池電量表示装置において、前記支持フレームは、一体連続のトレー、スライドフレーム、位置決めスリーブをこの順に下から上に備え、前記位置決めスリーブは各表示ロッドの下端に固定されると共に、その上には表示ロッドの数量に応じて形成する開口が設けられており、各開口の中心線はそれぞれ各表示ロッドの中心線と大体一致し、前記スライドフレームの上端面と下端面との間に表示ロッドの数量に応じて形成する傾斜の貫通孔が設けられ、前記トレーに表示ロッドの数量に応じて形成する色球位置決め溝が設けられ、前記各色球位置決め溝、貫通孔及び開口はそれぞれ対応して設置されて前記色球チャネルを形成している。
【０００７】
上記電池電量表示装置において、前記各表示ロッドは円周方向に沿って均等に設置される。
【０００８】
上記電池電量表示装置において、前記表示ロッドの数量は5-12個である。
【０００９】
上記電池電量表示装置において、前記各表示ロッドは矩形に均等に設置される。
【００１０】
本発明の上記課題の解決手段によれば、比重が異なる色球が所定順序に従い複数の表示ロッドの下方で集中的に表示することによって、蓄電池の現在の電量を視覚的かつ正確に表示できる。これによって、使用者は、行っている操作に応じて充電あるいは加水するかどうかを決定でき、車両が起動不能となった故障かどうかを判断する助けとなり、電気自動車の路上での停止を防止でき、さらに、当該電池電量表示装置はコンパクトかつ便利である。
【図面の簡単な説明】
【００１１】
【図１】一実施態様の斜視図である。
【図２】一実施態様の分解斜視図である。
【図３】図２における表示ロッドを別角度からみた斜視図である。
【発明を実施するための形態】
【００１２】
図１、図２及び図３に示すように、本発明の電池電量表示装置は、一体成型の五つの表示ロッド1と、各表示ロッド1の上端に設けられる固定スリーブ2と、各表示ロッド1の下端に設けられる支持フレーム3と、比重が順次増加する五つの色球4（図には一つだけ示す）とを備える。前記五つの表示ロッド1は透明なPMMAプラスチックで一体成型して製造され、円周方向に均等に設置され、各表示ロッド1の下端に外へ突出する錐形の凸部が設けられ、前記固定スリーブ2の中間に位置決め口が設けられ、固定スリーブ2の外側壁にオスねじが設けられ、一体成型の表示ロッド1が位置決め口によって固定スリーブに固定されるように連結され、全体の電池電量表示装置はオスねじにより蓄電池の蓋部に覆われる。前記支持フレーム3は、一体連続するトレー31、スライドフレーム32、位置決めスリーブ33を下から上の方向に沿って備え、前記位置決めスリーブ33の各表示ロッド1と連結する側に五つのラチェット331が設けられ、該五つのラチェット331によって、前記位置決めスリーブ33は各表示ロッド1の下方に嵌めかつ超音波により固定されるように連結され、位置決めスリーブ33に五つの開口332が設けられ、各開口332の中心線がそれぞれに各表示ロッド1の中心線に一致し、前記スライドフレーム32が柱状であり、その上端面と下端面との間に傾斜する五つの貫通孔321、スライドフレーム32の中部に固定口322が設けられ、前記トレー31に五つの色球位置決め溝311が設けられ、トレー31の上端面の中部に上へ延びる位置決め柱312がもうけられ、前記位置決め柱312が固定口322を貫通し、位置決めスリーブ33の底部の位置決め口と締りばめするように最終的に連結され、従って前記トレー31、スライドフレーム32及び位置決めスリーブ33は一体的に連結されかつ各表示ロッド1の下方に設けられ、前記各色球位置決め溝311、貫通孔321、開口332は傾斜する色球チャネルを形成するようにそれぞれに対応するように設置され、かつ、各色球チャネルの上部である開口332の垂直方向の投影とその下部である色球位置決め溝311の垂直方向の投影は同一水平面において互いにずらし、比重が順次増加する五つの色球4（トレー31の構成をはっきり見えるために、図には一つだけを示す）がそれぞれに各色球チャネル内に設けられる。時計方向に沿って、五つの色球4の比重は0〜360度の範囲で順に増加し、そこで、観測する時に、時計方向に沿って、角度数値が大きい色球4が上へ浮くと、蓄電池残り電量がより多いことを示し、逆であれば残り電量が低いことを示す。
【００１３】
上記実施形態は主として蓄電池電量が視覚的に分かる電池電量表示装置を提供する。さらに、表示ロッドの数量も12個またはそれ以上であり、各表示ロッドは円周方向にまたは矩形方式で均一に設置され、なお、比重が順次変化する色球は所定の順序で各色球チャネルの中に設けられる。これによって、色球の浮き沈み状況に応じて、蓄電池の現在の電量が視覚的にわかり、かつ現場の状況に応じて充電するかどうかを決定できる。また、各位置決めスリーブの上開口と表示ロッドの中心線は少しずらしてもよく、観測結果に実質な影響を与えない。
【符号の説明】
【００１４】
１    表示ロッド
２    固定スリーブ
３    支持フレーム
４    色球
３１    トレー
３２    スライドフレーム
３３    位置決めスリーブ
３１１    色球位置決め溝
３１２    位置決め柱
３２１    貫通孔
３２２    固定口
３３１    ラチェット
３３２    開口
【図１】
2010537374.tif 000003
【図２】
2010537374.tif 000004
【図３】
2010537374.tif 000005
【国際調査報告】
2010537374.tif 000006
2010537374.tif 000007
2010537374.tif 000008
2010537374.tif 000009
2010537374.tif 000010
2010537374.tif 000011